(57)【要約】【課題】  カレンダー用紙にクーポン券部分を設けるための用紙部分を特別に設ける必要がなく、カレンダーの日付け表示を見た場合でも、クーポン券の表示部が目に入らないようにして、カレンダーを見やすくしたクーポン券付きカレンダーを提供する。【解決手段】  表面に日付け表示部を有するカレンダー用紙の所定部分が、クーポン券として使用可能に構成されているクーポン券付きカレンダーであって、前記カレンダー用紙の日付け表示部の裏面に、クーポン情報が表示されている。また、前記日付け表示部には、所定期間毎に前記カレンダー用紙を切り取ることが可能な切り取り用ミシンが設けられている。更に、切り取り用ミシンで切り取られるカレンダー用紙に表示されたクーポン情報には、クーポンの使用可能な時期として、切り取り用ミシンで切り取られるカレンダー用紙に表示されている日よりも将来の時期が表示されていることを特徴とする。【選択図】        図３
2005111871.tif 000002
【特許請求の範囲】
【請求項１】
表面に日付け表示部を有するカレンダー用紙の所定部分が、クーポン券として使用可能に構成されているクーポン券付きカレンダーであって、
前記カレンダー用紙の日付け表示部の裏面に、クーポン情報が表示されていることを特徴とするクーポン券付きカレンダー。
【請求項２】
前記日付け表示部には、所定期間毎に前記カレンダー用紙を切り取ることが可能な切り取り用ミシンが設けられていることを特徴とする請求項１記載のクーポン券付きカレンダー。
【請求項３】
前記切り取り用ミシンが、カレンダー用紙に表示されている日付け表示部の、日単位毎、週単位毎、半月単位毎、月単位毎、のいずれかの単位毎で切り取り可能に形成されていることを特徴とする請求項２記載のクーポン券付きカレンダー。
【請求項４】
前記切り取り用ミシンで切り取られるカレンダー用紙に表示されたクーポン情報には、クーポンの使用可能な時期として、前記切り取り用ミシンで切り取られるカレンダー用紙に表示されている日よりも将来の時期が表示されていることを特徴とする請求項２記載のクーポン券付きカレンダー。
【請求項５】
前記カレンダー用紙には、ユニークな識別番号、識別記号、ホログラム、パールインキ表示、のいずれかが付されていることを特徴とする請求項１乃至請求項４記載のクーポン券付きカレンダー。
【請求項６】
前記カレンダー用紙が、カレンダー立てに接着された構成を有していることを特徴とする請求項１乃至請求項５記載のクーポン券付きカレンダー。
【発明の詳細な説明】
【技術分野】
【０００１】
本発明は、表面に日付け表示部を有するカレンダー用紙の所定部分が、クーポン券として使用可能に構成されているクーポン券付きカレンダーに関する。
【背景技術】
【０００２】
従来、種々の業者が顧客に対して販売促進活動を行うための媒体として、カレンダーを用いることが一般的に行われている。
カレンダーは、１年を通じて顧客に使用される可能性があるために、カレンダー用紙に企業名や商品の広告などを表示しておくことで、長期間に渡って顧客に特定の企業や商品などのＰＲを行なうことができるという利点があるものである。
【０００３】
しかしながら、顧客にとっては、業者が配布しているカレンダーは無料で入手できるという以外に特別な利点はなく、また、業者側にとっても、たとえ無料で配布したカレンダーであっても、そのカレンダーを入手した顧客がそのカレンダーを使用しないで、市販されている気に入ったデザインのカレンダーを使用したり、他の業者が配布したカレンダーを使用してしまうこともあり、必ずしも販売促進としてカレンダーを配布することが販売促進効果につながるともいえない。
【０００４】
このようなことから、顧客が販売促進用として配布されたカレンダーを使用する動機付けとなるように、カレンダーの一部をクーポン券として使用できるような仕様としておき、顧客がカレンダーとクーポンを併用して活用できるようにして、そのカレンダーを使用するメリットを顧客側に対して付加できるようにした技術が既に知られている。（例えば、特許文献１参照）
しかしながら、上記の公知技術では、カレンダー表示部とクーポン券表示部とが併合して表示されている構成であるために、カレンダー全体の用紙サイズを、クーポン券表示部の部分まで設ける必要があり、通常のカレンダーよりも大きな用紙を用意しなければならず、用紙コストがかかると共に、カレンダーが嵩張るという問題がある。
また、クーポン券の表示がカレンダー表示部側にあるので、カレンダーを見る際にクーポン券の表示部まで見えてしまうので、目障りであり、カレンダーの日付け表示や記入事項などが見にくく不便であるという問題がある。
【特許文献１】実用新案登録第３０７８４５３号公報
【発明の開示】
【発明が解決しようとする課題】
【０００５】
本発明は、表面に日付け表示部を有するカレンダー用紙の所定部分が、クーポン券として使用可能に構成されているクーポン券付きカレンダーであって、カレンダー用紙にクーポン券部分を設けるための用紙部分を特別に設ける必要をなくして、用紙コストの負担をかけないようにすると共に、クーポン券を設けた場合でもカレンダーが嵩張らないようにでき、更に、カレンダーの日付け表示を見た場合でも、クーポン券の表示部が目に入らないようにして、カレンダーの日付け表示や記入事項などを見やすくしたクーポン券付きカレンダーを提供する。
【課題を解決するための手段】
【０００６】
本発明のクーポン券付きカレンダーは、表面に日付け表示部を有するカレンダー用紙の所定部分が、クーポン券として使用可能に構成されているクーポン券付きカレンダーであって、前記カレンダー用紙の日付け表示部の裏面に、クーポン情報が表示されていることを特徴とする。
【０００７】
また、本発明のクーポン券付きカレンダーは、前記日付け表示部には、所定期間毎に前記カレンダー用紙を切り取ることが可能な切り取り用ミシンが設けられていることを特徴とする。
【０００８】
更に、本発明のクーポン券付きカレンダーは、  前記切り取り用ミシンが、カレンダー用紙に表示されている日付け表示部の、日単位毎、週単位毎、半月単位毎、月単位毎、のいずれかの単位毎で切り取り可能に形成されていることを特徴とする。
【０００９】
また、本発明のクーポン券付きカレンダーは、前記切り取り用ミシンで切り取られるカレンダー用紙に表示されたクーポン情報には、クーポンの使用可能な時期として、前記切り取り用ミシンで切り取られるカレンダー用紙に表示されている日よりも将来の時期が表示されていることを特徴とする。
【００１０】
更に、本発明のクーポン券付きカレンダーは、前記カレンダー用紙には、ユニークな識別番号、識別記号、ホログラム、パールインキ表示、のいずれかが付されていることを特徴とする。
【００１１】
また、本発明のクーポン券付きカレンダーは、前記カレンダー用紙が、カレンダー立てに接着された構成を有していることを特徴とする。
【発明の効果】
【００１２】
本発明は、クーポン情報がカレンダー用紙の裏面に表示されているので、カレンダー用紙にクーポン券部分を特別に設ける必要がなく、クーポン券を設けても特別に用紙サイズを大きくしなくてもよいので、コストの負担がかからないと共に、クーポン券を設けた場合でもカレンダーが嵩張らないようにできるという効果がある。
更に、カレンダーの日付け表示を見た際に、クーポン券の表示部が目に入らないので、カレンダーの日付け表示や記入事項などが見やいという効果がある。
【００１３】
また、日付け表示部に、所定期間毎にカレンダー用紙を切り取ることが可能な切り取り用ミシンが設けられているので、切り取り用ミシンから切り取ってクーポン券として使用できるという効果がある。
【００１４】
更に、切り取り用ミシンで、カレンダー用紙に表示されている日付け表示部の、日単位毎、週単位毎、半月単位毎、月単位毎、のいずれかの単位毎で切り取り可能に形成されているので、カレンダー用紙に複数のクーポン券を切り取り可能に設けることができるという効果がある。
【００１５】
また、切り取り用ミシンで切り取られるカレンダー用紙に表示されたクーポン情報には、クーポンの使用可能な時期として、その切り取り用ミシンで切り取られるカレンダー用紙に表示されている日よりも将来の時期が表示されているので、顧客に対してタイミングよくクーポン券を使用する動機付けを与えることができると共に、カレンダーを順次切り取りながらクーポン券として使用できるので家庭でのゴミもでないという効果がある。
【００１６】
更に、カレンダー用紙に、ユニークな識別番号、識別記号、ホログラム、パールインキ表示、などが付されているので、クーポン券の管理や偽造防止を図ることができるという効果がある。
【００１７】
また、カレンダー用紙が、カレンダー立てに接着された構成を有しているので、カレンダーを机などに置いた状態でも日付け表示を見ることができるという効果がある。
【発明を実施するための最良の形態】
【００１８】
以下、図面を参照しながら本発明の実施形態を詳述する。
図１は、本発明の実施形態に係るクーポン券付きカレンダーを卓上仕様とした場合を示す断面図、図２は、本発明の実施形態に係るクーポン券付きカレンダーの１月と２月分の表面側の平面図、図３は、本発明の実施形態に係るクーポン券付きカレンダーの１月と２月分の裏面側の平面図、図４は、本発明の実施形態に係るクーポン券付きカレンダーの１月と２月分のカレンダー用紙による使用方法を説明する図、図５は、本発明の実施形態に係るクーポン券付きカレンダーの１月と２月分のカレンダー用紙から切り取った１枚のクーポン券を示す平面図である。
【００１９】
図１に示した本発明の実施形態に係るクーポン券付きカレンダー１は、机などに置くなどして使用する小型サイズの卓上式のカレンダーであり、１枚のカレンダー用紙２に２ヶ月分の日付け表示が設けられ、６枚のカレンダー用紙２が重ねられて全体で１２ヶ月分の表示がされた構成を有している。
クーポン券付きカレンダー１は、例えば、図１に示すように、１枚のシートを三角形状になるように折り返して、その端辺同士を接着などして形成するカレンダー立て３の一部に、接着剤４により接着させる仕様とすることで、カレンダーを立てた状態で机などに置くことができるように構成されている。
【００２０】
６枚のカレンダー用紙２は、それぞれ上方の部分で接着剤５により接着されて一体化され、また切り取り用ミシン６により、接着剤５で接着されている部分からカレンダーの日付け表示部分を切り取れるように構成されている。
【００２１】
次に、図２に基づいて、カレンダー用紙２について具体的に説明する。
図２には、１月と２月分の日付け表示部を有し、一番上位に重ねられているカレンダー用紙２の表面が表示されている。
カレンダー用紙２には、日付が縦方向に配列されて表示され、半月毎の日付を縦方向の日付列として、更にその日付列が横方向に４列並べた状態で表示されている。
また、カレンダー用紙２には、その日付列の間にそれぞれ切り取り用ミシン７が形成されていて、半月毎の日付列が表示された部分を、切り取り用ミシン６と切り取り用ミシン７とによりカレンダー用紙２から切り取ることができるように構成されている。
【００２２】
また、１月と２月分のカレンダー用紙２の裏面には、図３に示すように、半月毎の日付列が表示された部分毎に、それぞれクーポン情報が表示されていて、カレンダー用紙２に形成されている切り取り用ミシン６と切り取り用ミシン７とから切り取った紙片が、クーポン券８として使用できるようにしてある。
したがって、１月と２月分のカレンダー用紙２には、４枚のクーポン券８ａ，８ｂ，８ｃ，８ｄを有していることになる。
【００２３】
例えば、クーポン券８ａは、図２に示すように、カレンダー用紙２の１月の前半の半月分が表示されている紙片に該当する。
例えば、クーポン券８ａを一例として説明すると、図３に示しているように、クーポン券８ａには、上方の表示から順番に、クーポン券の使用情報を管理するためのユニークな識別番号９と、偽造防止用のホログラム１０と、クーポン券表示１１と、サービス内容表示１２と、クーポン券の有効期間１３などが表示されている。
尚、ホログラム１０は、カレンダー用紙２に転写や貼付などして設けられている。
また、ユニークな識別番号９に代えて、識別記号を表示してもよく、識別番号９や識別記号を表示することで、クーポン券毎の情報管理を行うことができ、不正にカレンダー用紙２が作成されて、クーポン券として使用された場合でも、識別番号９や識別記号をシステム的に消し込み処理することで偽造品が出回ったことを発見することができるという利点がある。
更に、クーポン券の表示としてパールインキ表示を行ってもよく、パールインキ表示とすることで、偽造防止効果もある。
【００２４】
また、クーポン券の有効期間１３の表示は、切り取り用ミシン６，７で切り取られるカレンダー用紙の、紙片の表面側のカレンダー日付けより未来の時期が表示されている。
例えば、クーポン券８ａの表面には、１月１日から１月１５日までの日付けが表示されているので、クーポン券８ａの有効期間としては、少なくとも開始日が１月１６日以降となるようにしてある。
また、その有効期間の終了日は、１月３１日としてあるが、２月１日以降は、２枚目のクーポン券８ｂによるサービスが受けられるので、その月毎の販売計画や季節に合わせてサービス内容に変化をもたせることが有効的である。
【００２５】
本発明のクーポン券付きカレンダー１によりクーポン券を利用する場合を、図４、図５に基づいて説明する。
クーポン券付きカレンダー１を使用している利用者は、１月１５日が経過後に、図４に示すように、切り取り用ミシン６，７からカレンダー用紙２のクーポン券８ａの部分を切り取る。
切り取った紙片の裏面には、クーポン情報が表示されているクーポン券８ａとなっており、このクーポン券８ａを利用することにより、クーポン券付きカレンダー１を販売促進用として配布した業者が経営する店舗で商品を購入する際に、全品が１０％安く買えるサービスを利用者が受けられるようにしてある。
但し、このクーポン券８ａの有効期間は、１月１６日から１月３１日までであるので、この有効期間が経過した場合には、そのサービスは受けられないことになる。
【００２６】
また、１月３１日が経過後には、切り取り用ミシン６，７からカレンダー用紙２のクーポン券８ｂの部分を切り取る。
クーポン券８ｂでは、食料品が１００円割引されるサービスを受けることができる。
但し、このクーポン券８ｂの有効期間は、２月６日から２月８日までであるので、この有効期間が経過した場合には、そのサービスは受けられないことになる。
以上のようにして、日付けが経過する毎に、カレンダーとして過去の日付けの部分を順次に、切り取り用ミシン６，７から切り取ることで、切り取った部分をクーポン券として活用できるように構成されている。
【００２７】
上記の構成のクーポン券付きカレンダーでは、半月毎の日付列が表示された部分を、切り取り用ミシン６と切り取り用ミシン７とによりカレンダー用紙２から切り取ることで、切り取った部分をクーポン券として使用できるように構成してあるが、これに限らず、カレンダー用紙２に表示されている、日単位毎、週単位毎、月単位毎、に切り取り用ミシンで切り取り可能に構成し、その切り取られる各紙片の裏面にクーポン情報を表示することで、各紙片をクーポン券として用いられるようにしてもよい。
【産業上の利用可能性】
【００２８】
本発明に係るクーポン券付きカレンダーは、販売促進用のカレンダーなどとして種々の業界で広く利用される可能性がある。
【図面の簡単な説明】
【００２９】
【図１】本発明の実施形態に係るクーポン券付きカレンダーを卓上仕様とした場合を示す断面図である。
【図２】本発明の実施形態に係るクーポン券付きカレンダーの１月と２月分の表面側の平面図である。
【図３】本発明の実施形態に係るクーポン券付きカレンダーの１月と２月分の裏面側の平面図である。
【図４】本発明の実施形態に係るクーポン券付きカレンダーの１月と２月分のカレンダー用紙による使用方法を説明する図である。
【図５】本発明の実施形態に係るクーポン券付きカレンダーの１月と２月分のカレンダー用紙から切り取った１枚のクーポン券を示す平面図である。
【符号の説明】
【００３０】
１  クーポン券付きカレンダー
２  カレンダー用紙
３  カレンダー立て
４，５  接着剤
６，７  切り取り用ミシン
８ａ，８ｂ，８ｃ，８ｄ  クーポン券
９  ユニークな識別番号
１０  ホログラム
１１  クーポン券表示
１２  サービス内容表示
１３  クーポン券の有効期間
【図１】
2005111871.tif 000003
【図２】
2005111871.tif 000004
【図３】
2005111871.tif 000005
【図４】
2005111871.tif 000006
【図５】
2005111871.tif 000007